(57)【要約】【課題】発光源が２次元状に配列されて駆動回路と接続されている場合の結線処理を円滑に行うと共に、画像形成を合理的に行えるラインヘッドおよび画像形成装置の提供。【解決手段】発光素子を感光体の軸方向（Ｘ方向）および感光体の回動方向（Ｙ方向）にそれぞれ複数配して発光素子グループＢを形成し、当該発光素子グループをＹ方向にＲ、Ｓ、Ｔの複数行設けて発光源を２次元状に配列する。Ｃａ〜Ｃｃは各発光素子を駆動する駆動回路で、ＣａはＧａの区域、ＣｂはＧｂの区域、ＣｃはＧｃの区域の発光素子グループと結線される。各駆動回路は、Ｙ方向に３行形成された発光素子行の２行または１行と接続される。【選択図】  図１
2009190391.tif 000002
【特許請求の範囲】
【請求項１】
基板と、
前記基板に配設された感光体ドラムの軸方向および回動方向に複数設けて発光源を２次元状に形成する発光素子と、
前記感光体ドラムの軸方向に複数設けた発光素子で形成される発光素子行と、
前記各発光素子を駆動させる複数の駆動回路と、
前記複数の駆動回路と前記発光素子行とを電気的に接続する配線と、を有し、
前記発光素子は、ｎ行（ここで、ｎは２以上の整数）の発光素子行を形成するとともに、
前記発光素子行が前記感光体ドラムの回動方向にｎ行配されているときに、前記駆動回路はｎ−１行以下の行に属する（ｎ−１＞１）で前記発光素子行の発光素子と前記配線で電気的に接続されることを特徴とする、ラインヘッド。
【請求項２】
前記ｎ行の発光素子行を形成する前記発光素子からの光を結像する結像光学系を有することを特徴とする、請求項１に記載のラインヘッド。
【請求項３】
前記配線と電気的に接続されるフレキシブルプリント基板を有し、前記駆動回路は前記フレキシブルプリント基板に配設されることを特徴とする、請求項１または請求項２に記載のラインヘッド。
【請求項４】
前記駆動回路を２ｎ以上設けたことを特徴とする、請求項１ないし請求項３のいずれか１項に記載のラインヘッド。
【請求項５】
前記駆動回路をドライバＩＣで構成することを特徴とする、請求項１ないし請求項４のいずれか１項に記載のラインヘッド。
【請求項６】
前記結像光学系は光学倍率がマイナスであることを特徴とする、請求項２ないし請求項５のいずれか１項に記載のラインヘッド。
【請求項７】
感光体ドラムと、
基板、前記基板に配設された発光素子、前記発光素子を駆動させる駆動回路、前記駆動回路と前記発光素子とを電気的に接続する配線、及び前記発光素子からの光を結像する結像光学系を有するラインヘッドと、
前記ラインヘッドに画像データを供給する制御手段と、を有し、
前記発光素子は、前記感光体ドラムの回転方向にｎ行（ここで、ｎは２以上の整数）の発光素子行を形成するとともに、
前記駆動回路はをｎ−１行以下の行に属する発光素子と前記配線で電気的に接続されることを特徴とする、画像形成装置。
【請求項８】
前記結像光学系は光学倍率がマイナスであることを特徴とする、請求項７に記載の画像形成装置。
【請求項９】
前記感光体ドラムに潜像を形成するための画像データが供給される制御手段を有し、
前記制御手段は、前記発光素子行に供給される前記画像データを、前記感光体ドラムの軸方向および回動方向で反転させて並び替えを行うことを特徴とする、請求項８に記載の画像形成装置。
【請求項１０】
前記感光体ドラムに潜像を形成するための画像データが供給される制御手段を有し、
前記制御手段は、前記駆動回路と前記発光素子とを電気的に接続する前記配線の構成によって、前記発光素子行毎に送出する画像データあｋ感光体の軸方向および回動方向の並び替えを行うことを特徴とする、請求項８に記載の画像形成装置。
【請求項１１】
前記駆動回路を前記感光体ドラムの回動方向の前記基板の一方に設けたことを特徴とする、請求項７ないし請求項１０のいずれか１項に記載の画像形成装置。
【請求項１２】
前記駆動回路を前記感光体ドラムの回動方向の前記基板の両側に設けることを特徴とする、請求項７ないし請求項１０のいずれか１項に記載の画像形成装置。
【請求項１３】
前記配線と電気的に接続されるフレキシブルプリント基板を有し、前記駆動回路は前記フレキシブルプリント基板に配設されることを特徴とする、請求項７に記載の画像形成装置。
【請求項１４】
前記駆動回路を設ける前記フレキシブルプリント基板を、前記感光体ドラムの回動方向の前記基板の両側に設けることを特徴とする、請求項１３に記載の画像形成装置。
【請求項１５】
前記感光体ドラムの回動方向の前記基板の一方に設けるフレキシブルプリント基板の数と、他方に設けるフレキシブルプリント基板の数が異なることを特徴とする、請求項１４に記載の画像形成装置
【発明の詳細な説明】
【技術分野】
【０００１】
本発明は、発光源が２次元状に配列されて駆動回路と接続されている
場合の結線処理を円滑に行うと共に、画像形成を合理的に行えるラインヘッドおよびそれを用いた画像形成装置に関するものである。
【背景技術】
【０００２】
一般に、電子写真方式のトナー像形成手段は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【０００３】
前記露光手段として、発光体アレイを設けたラインヘッド用いる技術が知られている。このラインヘッドは、発光体アレイにＬＥＤや有機ＥＬ素子のような発光素子を設置している。また、発光素子の出力光は、結像レンズを通して感光体に照射される。結像レンズの光学倍率は、プラスのもの（セルフォックレンズ）とマイナスのもの（マイクロレンズ）が用いられる。例えば、特許文献１には、発光体アレイに２次元で配列された発光素子の出力光を、光学倍率がプラスの結像レンズを通して感光体ドラムに照射し、潜像を形成する例が記載されている。発光素子は、駆動回路により制御される。
【０００４】
特許文献１には、図８のブロック図に示されているような前記駆動回路が記載されている。図８において、８０はラインヘッドの制御部７０と接続される本体コントローラである。７５は制御回路、７６は駆動回路、７７はメモリ、６１は有機ＥＬ素子を用いた発光素子で、感光体の軸方向（Ｘ方向、主走査方向）と感光体の回動方向（Ｙ方向、副走査方向）に複数配されている。Ｙ方向に複数行の発光素子を配置するのは、解像度の向上などを目的としている。発光素子６１は、前記駆動回路７６に接続されている。本体コントローラ８０で形成された画像データは、制御部７０に送信され一旦メモリ７７に記憶される。制御回路７５はメモリ７７に記憶されている画像データを読み出し、駆動信号を形成し駆動回路７６を通して各発光素子６１に供給する。
【０００５】
【特許文献１】特開２００４−２０９７７７号公報
【発明の開示】
【発明が解決しようとする課題】
【０００６】
発光素子が２次元配置されている場合に、結像レンズとして光学倍率がマイナスのマイクロレンズを用いる構成では、感光体の軸方向および回動方向に画像データを反転して並び替えて駆動回路を動作させる必要がある。しかしながら、特許文献１に記載されているラインヘッドは、光学倍率がプラスの結像レンズを用いている。このため、特許文献１に記載の技術をそのまま用いると、感光体の回動方向で元画像とは異なる潜像が形成されることになり、画質が劣化するという問題があった。
【０００７】
また、図８に示されているような、基板のＸ方向とＹ方向に多数の発光素子を配しているラインヘッドにおいては、狭いスペース内でこれらの多数の発光素子と駆動回路との結線が行われるので、結線処理が煩雑になるという問題があった。特に、結像レンズとして光学倍率がマイナスのマイクロレンズを用いる構成では、前記のように画像データの反転が必要となるために、発光素子と駆動回路との結線処理が一層複雑になるという問題があ
った。
【０００８】
本発明は従来技術のこのような問題点に鑑みてなされたものであり、その目的は、発光源が２次元状に配列されて駆動回路と接続されている
場合の結線処理を円滑に行うと共に、画像形成を合理的に行えるラインヘッドおよびそれを用いた画像形成装置を提供することにある。
【課題を解決するための手段】
【０００９】
上記目的を達成する本発明のラインヘッドは、
基板と、
前記基板に配設された感光体の軸方向および回動方向に複数設けて発光源を２次元状に形成する発光素子と、
前記感光体の軸方向に複数設けた発光素子で形成される発光素子行と、
前記各発光素子を駆動させる複数の駆動回路と、
前記複数の駆動回路と前記発光素子行とを電気的に接続する配線と、を有し、
前記発光素子は、ｎ行（ここで、ｎは２以上の整数）の発光素子行を形成するとともに、
前記発光素子行が前記感光体の回動方向にｎ行配されているときに、前記駆動回路はｎ−１行以下の行に属する（ｎ−１＞１）で前記発光素子行の発光素子と前記配線で電機的に接続されることを特徴とする。
【００１０】
また、本発明のラインヘッドは、前記ｎ行の発光素子行を形成する前記発光素子からの光を結像する結像光学系を有することを特徴とする。
【００１１】
また、本発明のラインヘッドは、前記配線と電気的に接続されるフレキシブルプリント基板を有し、前記駆動回路は前記フレキシブルプリント基板に配設されることを特徴とする。
【００１２】
また、本発明のラインヘッドは、前記駆動回路を２ｎ以上設けたことを特徴とする。
【００１３】
また、本発明のラインヘッドは、前記駆動回路をドライバＩＣで構成することを特徴とする。
【００１４】
また、本発明のラインヘッドは、前記結像光学系は光学倍率がマイナスであることを特徴とする。
【００１５】
本発明の画像形成装置は、
感光体ドラムと、
基板、前記基板に配設された発光素子、前記発光素子を駆動させる駆動回路、前記駆動回路と前記発光素子とを電気的に接続する配線、及び前記発光素子からの光を結像する結像光学系を有するラインヘッドと、
前記ラインヘッドに画像データを供給する制御手段と、を有し、
前記発光素子は、前記感光体ドラムの回転方向にｎ行（ここで、ｎは２以上の整数）の発光素子行を形成するとともに、
前記駆動回路はをｎ−１行以下の行に属する発光素子と前記配線で電気的に接続されることを特徴とする。
【００１６】
また、本発明の画像形成装置は、前記結像光学系は光学倍率がマイナスであることを特徴とする。
【００１７】
また、本発明の画像形成装置は、前記感光体に潜像を形成するための画像データが供給される制御手段を有し、
前記制御手段は、前記発光素子行に供給される前記画像データを、前記感光体ドラムの軸方向および回動方向で反転させて並び替えを行うことを特徴とする。
【００１８】
また、本発明の画像形成装置は、前記感光体ドラムに潜像を形成するための画像データが供給される制御手段を有し、
前記制御手段は、前記駆動回路と前記発光素子とを電気的に接続する前記配線の構成によって、前記発光素子行毎に送出する画像データあｋ感光体の軸方向および回動方向の並び替えを行うことを特徴とする。
【００１９】
また、本発明の画像形成装置は、前記駆動回路を前記感光体ドラムの回動方向の前記基板の一方に設けたことを特徴とする。
【００２０】
また、本発明の画像形成装置は、前記駆動回路を前記感光体ドラムの回動方向の前記基板の両側に設けることを特徴とする。
【００２１】
また、本発明の画像形成装置は、前記配線と電気的に接続されるフレキシブルプリント基板を有し、前記駆動回路は前記フレキシブルプリント基板に配設されることを特徴とする。
【００２２】
また、本発明の画像形成装置は、前記駆動回路を設ける前記フレキシブルプリント基板を、前記感光体ドラムの回動方向の前記基板の両側に設けることを特徴とする。
【００２３】
また、本発明の画像形成装置は、前記感光体ドラムの回動方向の前記基板の一方に設けるフレキシブルプリント基板の数と、他方に設けるフレキシブルプリント基板の数が異なることを特徴とする。
【発明を実施するための最良の形態】
【００２４】
図３は、本発明の実施形態におけるラインヘッドの例を示す概略の説明図である。図３において、Ａは光学倍率がマイナスの結像レンズ、Ｂは結像レンズＡ内に配置される複数の発光素子からなる発光素子グループである。また、発光素子の発光方向は、紙面に向かって手前側に発光するものとする。結像レンズＡは、感光体ドラム（本発明の明細書では、単に感光体と略記することがある）の軸方向（Ｘ方向、主走査方向）に複数配置され、また、感光体の回動方向（Ｙ方向、副走査方向）にも複数配置されている。各結像レンズＡ内に配置される発光素子グループＢは、この例ではＸ方向、Ｙ方向に複数設けられている。
【００２５】
このように、結像レンズＡは、Ｘ方向とＹ方向に複数配置されて結像レンズ行Ｒ、Ｓ、Ｔが形成されている。この結像レンズ行は、発光素子グループ行にも相当する。したがって、発光素子グループ行Ｒ、Ｓ、Ｔが形成されていることになる。なお、発光素子グループ行は、感光体の軸方向で見た場合には、発光素子行Ｉａ〜Ｉｃとして表すことができる。図３の例では、発光素子行Ｉａ〜Ｉｃが感光体の軸方向に３行配されている。
【００２６】
結像レンズ行Ｒは、感光体の回動方向（Ｙ方向）の上流側であり、結像レンズ行Ｔは、感光体の回動方向（Ｙ方向）の下流側である。結像レンズＡには、便宜上１〜２７の番号を付している。図３の例では、結像レンズ行Ｒ、Ｓ、ＴはＹ方向に３行配置されており、各結像レンズ行Ｒ、Ｓ、ＴのＸ方向の配置位置が異なる千鳥状配置とされている。
【００２７】
図４〜図６は、本発明の前提技術を示す参考図である。図４は、図３のように配置された発光素子を駆動する駆動回路を対応させた参考図である。図４において、図３と同じところには同一の符号を付している。各発光素子は、駆動回路を構成するドライバＩＣのＣａ〜Ｃｃに配線で接続されている。この配線は、ドライバＩＣからの駆動信号が各発光素子に伝送されるものである。Ｅａ〜Ｅｃは、各ドライバＩＣで駆動される発光素子の区域を示している。
【００２８】
ドライバＩＣのＣａは、区域Ｅａの発光素子を駆動する。また、ドライバＩＣのＣｂは、区域Ｅｂの発光素子を駆動し、ドライバＩＣのＣｃは、区域Ｅａの発光素子を駆動する。すなわち、結像レンズ１〜９に対応する各発光素子は、ドライバＩＣのＣａで駆動され、結像レンズ１０〜１８に対応する各発光素子は、ドライバＩＣのＣｂで駆動される。また、結像レンズ１９〜２７に対応する各発光素子は、ドライバＩＣのＣｃで駆動される。
【００２９】
図４のように、ラスタデータのＸ方向（主走査方向）の領域をドライバＩＣによって分割しているのは、発光素子とドライバＩＣの配線上の都合から結線されている事と、各ドライバＩＣには、制御回路から連続した画像データを与える必要があることによる。このように、発光素子グループ行のＹ方向の行数である３行に対応させて駆動回路を３個に分割して設け、各駆動回路は分割された一定区域Ｅａ〜Ｅｃ内の発光素子と結線されるので、単一の駆動回路で結線する発光素子数が減少し、結線処理が円滑に行える。
【００３０】
図３、図４において、結像レンズＡは光学倍率がマイナスのマイクロレンズを使用している。このため、各ドライバＩＣに供給される発光素子の駆動信号は、元画像通りに感光体に潜像を形成するには、発光素子グループ毎に、画像データをＸ方向とＹ方向に反転する必要がある。また、各ドライバＩＣと各発光素子グループの結線順序と、発光素子および結像レンズ間のピッチにより、Ｘ方向とＹ方向にデータを並べ替える必要がある。
【００３１】
図５は、各ドライバＩＣに供給する画像データを模式的に示す参考図である。図５において、番号１〜２７は、図３、図４で示した各結像レンズの番号に相当する。ここでは、これらの各結像レンズに対応して設けられている各発光素子に対する画像データの供給イメージを示している。すなわち、図３、図４に示されているように、ドライバＩＣのＣａで駆動される結像レンズ１〜９に対応する発光素子は、結像レンズ行（発光素子グループ行）のＲ行では結像レンズ１、４、７に相当している。また、結像レンズ行のＳ行では結像レンズ２、５、８に相当し、結像レンズ行のＴ行では結像レンズ３、６、９に相当している。
【００３２】
このように、感光体の回動方向（Ｙ方向）の上流側からみて、結像レンズは「１、４、７」、「２、５、８」、「３、６、９」の順序で配列されている。また、各発光素子間と、各発光素子グループ間には、感光体の回動方向（Ｙ方向）に沿って一定のピッチをもって配置されており、各発光素子に対応するデータは、このピッチに応じて、感光体の回動方向（Ｙ方向）に一定の間隔を空けて配置される。
【００３３】
ここで、ドライバＩＣのＣａと、結像レンズ１〜９に対応する発行素子への結線順序について説明する。図３、図４の例では、結像レンズ「１、２、３、４、５、６、７、８、９」の順序で結線されている。また、各結像レンズ内の発光素子には、素子が発光しない場合には０のデータを入力する必要があるので、Ｒ行のデータは、「２、３、５、６、８、９」のレンズに対応したデータ部分に０データが補填されている。
【００３４】
したがって、図５に示すように、ドライバＩＣのＣａで駆動される発光素子に供給される画像データの並び替えの範囲Ｄａは、各発光素子グループに対応したデータ毎にＸ方向とＹ方向で反転し、さらに発光素子グループ行のピッチに従ってＹ方向に並べ替えを行い
、結像レンズ「１、２、３、４、５、６、７、８、９」の順序で、対応する発光素子グループの発光素子に画像データが供給される。ドライバＩＣのＣｂ、Ｃｃで駆動される発光素子に供給される画像データの並び替えの範囲Ｄｂ、Ｄｃについても、同様に発光素子グループ行の発光素子に供給される画像データの並び替えを行う。
【００３５】
しかしながら、結像レンズがＹ方向に複数行配列されている場合には、画像データの供給順序などの制御回路の設計仕様や、駆動回路と発光素子との結線形態などにより、前記結線順序が異なってくる。すなわち、各結像レンズに対応する発光素子への結線順序が、図３、図４とは異なる場合がある。
【００３６】
図６は、このような結線順序が異なる例を示す参考図である。図６の例は、ドライバＩＣのＣａと、結像レンズ１〜９に対応する発光素子への結線順序が「１、４、７、２、５、８、３、６、９」となっている場合の画像データを並び替えた範囲Ｆａを示している。この場合には、ドライバＩＣに入力されるデータは、「１、４、７」、「２、５、８」、「３、６、９」がそれぞれ連続することになるので、Ｙ方向上流側の結像レンズ「１、４、７」に該当する発光素子グループのデータを左寄りに詰めて、「２、５、８、３、６、９」に相当する部分には０を補填して配列する。
【００３７】
また、Ｙ方向下流側の結像レンズ「３、６、９」に対応する発光素子への画像データを右寄りに詰めて配列し、「１、４、７、２、５、８」に相当する部分には０を補填する。Ｙ方向中段の結像レンズ「２、５、８」に対する発光素子への画像データは、中寄りに詰めて、「１、４、７、３、６、９」に相当する部分には０を補填する。ドライバＩＣのＣｂ、Ｃｃについても、同様に発光素子に供給される画像データの並び替えを行う範囲Ｆｂ、Ｆｃを設定している。
【００３８】
図３〜図６の例では、ドライバＩＣは、Ｙ方向に複数行配置された結像レンズ行（発光素子グループ行）に対応するすべての発光素子を駆動していた。しかしながら、Ｘ方向とＹ方向に多数の発光素子を設けたラインヘッドにおいては、ドライバＩＣと各発光素子とを結線する結線スペースが制約されているので、結線処理が煩雑になり、配線長も長くなるという問題がある。そこで、ドライバＩＣに接続される発光素子数を減少させるための合理的な工夫が必要となる。
【００３９】
図１、図２は、このような工夫がなされた本発明の実施形態を示す説明図である。図１において、ドライバＩＣのＣａは、結像レンズ「３、６、９、１２」と「２、５、８、１１、１４」に対応する発光素子、すなわち、Ｇａの区分内の発光素子を駆動する。この例では、Ｙ方向下流側の結像レンズに対応する発光素子グループ行の発光素子と、Ｙ方向中段の結像レンズに対応する発光素子グループ行の発光素子を駆動し、Ｙ方向上流側の結像レンズに対応する発光素子グループ行の発光素子は駆動しない。
【００４０】
したがって、ドライバＩＣのＣａは、Ｙ方向に３行配列された結像レンズ行の中で、下流側と中段の２行の結像レンズに対応する発光素子を駆動し、上流側の１行の結像レンズに対応する発光素子とは結線されていない。このため、結線スペースに余裕が生じて結線処理を円滑に行うことができる。
【００４１】
また、ドライバＩＣのＣｂは、結像レンズ「１、４、７、１０、１３、１６、１９、２２、２５」に対応する発光素子、すなわち、Ｇｂの区分内の発光素子を駆動する。ドライバＩＣのＣｂは、Ｙ方向に３行配列された結像レンズ行の中で、上流側の１行の結像レンズ行に対応する発光素子グループ行の発光素子のみを駆動する。このため、結線スペースには、ドライバＩＣのＣａよりもさらに余裕が生じる。
【００４２】
ドライバＩＣのＣｃは、結像レンズ「１７、２０、２３、２６」、「１５、１８、２１、２４、２７」に対応する発光素子、すなわち、Ｇｃの区分内の発光素子を駆動する。この場合には、ドライバＩＣのＣａと同様に、Ｙ方向に３行配列された結像レンズ行の中で、下流側と中段の２行の結像レンズに対応する発光素子グループ行の発光素子を駆動し、上流側の１行の結像レンズに対応する発光素子グループ行の発光素子とは結線されていない。
【００４３】
図２は、図１の構成における画像データの並び替えの範囲Ｈａを示している。ドライバＩＣのＣａで駆動される、Ｙ方向下流側の結像レンズ「３、６、９、１２」に対する発光素子グループ行の発光素子への画像データは、Ｙ方向下流側左寄りに並び替えられる。Ｙ方向中段の結像レンズ「２、５、８、１１、１４」に対する発光素子グループ行の発光素子への画像データは、中段右寄りに並び替えられる。
【００４４】
ドライバＩＣのＣｂで駆動される、Ｙ方向下流側の結像レンズ「１、４、７、１０、１３、１６、１９、２２、２５」に対する発光素子グループ行の発光素子への画像データは、Ｙ方向上流側に並び替えられ、画像データの並び替えの範囲はＨｂとなる。ドライバＩＣのＣｃで駆動される、Ｙ方向上流側の結像レンズ「１５、１８、２１、２４、２７」に対する発光素子グループ行の発光素子への画像データは、Ｙ方向下流側に並び替えられる。Ｙ方向中段の結像レンズ「１７、２０、２３、２６」に対する発光素子グループ行の発光素子への画像データは、並び替えを行わない。このようにして、画像データの並び替えの範囲はＨｃとなる。
【００４５】
画像データの並び替え処理は、図８に示したブロック図において、制御回路７５により行う。並び替え処理後の画像データはメモリ７７に記憶させる。すなわち、メモリ７７には、元の画像データを記憶する領域と並び替え処理後の画像データを記憶する領域が設けられている。なお、Ｘ方向の画像データの並び替えが必要な場合には、本体コントローラ８０でＸ方向に並び替え処理した画像データを制御回路７５に送信する。または、メモリ７７に記憶されている元の画像データに対して、制御回路７５でＸ方向に画像データの並び替えを行っても良い。
【００４６】
図１、図２の実施形態においては、感光体の回動方向に複数の発光素子をグループ化した発光素子行をｎ行（この例ではｎ＝３）配した発光素子基板と、発光素子を駆動するドライバＩＣと、を有し、１つのドライバＩＣをｎ−１行以下（この例では２行）の行（ｎ−１＞１）の発光素子行の発光素子と接続する構成としている。
【００４７】
図３で説明したように、発光素子と結像レンズをＸ方向（主走査方向）とＹ方向（副走査方向）に多数配置したラインヘッドにおいては、発光素子間のＸ方向ピッチと発光素子数、および発光素子グループ行のＹ方向の行数、ならびに結像レンズ間のＸ方向ピッチと結像レンズ数、結像レンズのＹ方向の行数を考慮して画像データを並び替えるだけでは、正常な潜像を得えることはできない。本発明の実施形態においては、ドライバＩＣが制御する発光素子の結線の態様を考慮して画像データの並び替えを行なっているので、感光体に正常な潜像を形成することができる。
【００４８】
本発明の実施形態においては、ドライバＩＣと発光素子との結線ルールをパラメータの１つとして、ＭＬＡ（マイクロレンズアレイ）が図３のように千鳥状に配置されている場合の画像データの並び替え補正を実施している。このような画像データの並び替え補正を実施することにより、ドライバＩＣと発光素子の結線ルールが異なるラインヘッドに対する画像データの生成が可能となる。これにより、ラインヘッド制御のための画像データ生成ブロックを汎用化することができ、ラインヘッドの仕様変更に伴う画像データ生成ロジックを再作成するための工数が削減できる。
【００４９】
本発明の実施形態においては、４つの感光体に４つのラインヘッドで露光し、４色の画像を同時に形成し、１つの無端状中間転写ベルト（中間転写媒体）に転写する、タンデム式カラープリンター（画像形成装置）に用いるラインヘッドを対象としている。図７は、発光素子として有機ＥＬ素子を用いたタンデム式画像形成装置の一例を示す縦断側面図である。この画像形成装置は、同様な構成の４個の発光体アレイ（ラインヘッド）１０１Ｋ、１０１Ｃ、１０１Ｍ、１０１Ｙを、対応する同様な構成である４個の感光体ドラム（像担持体）４１Ｋ、４１Ｃ、４１Ｍ、４１Ｙの露光位置にそれぞれ配置したものであり、タンデム方式の画像形成装置として構成されている。
【００５０】
図７に示すように、この画像形成装置は、駆動ローラ５１と従動ローラ５２とテンションローラ５３が設けられており、テンションローラ５３によりテンションを加えて張架されて、図示矢印方向（反時計方向）へ循環駆動される中間転写ベルト（中間転写媒体）５０を備えている。この中間転写ベルト５０に対して所定間隔で配置された４個の像担持体としての外周面に感光層を有する感光体４１Ｋ、４１Ｃ、４１Ｍ、４１Ｙが配置される。
【００５１】
前記符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体４１Ｋ、４１Ｃ、４１Ｍ、４１Ｙは、中間転写ベルト５０の駆動と同期して図示矢印方向（時計方向）へ回転駆動される。各感光体４１（Ｋ、Ｃ、Ｍ、Ｙ）の周囲には、それぞれ感光体４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を、感光体４１（Ｋ、Ｃ、Ｍ、Ｙ）の回転に同期して順次ライン走査する本発明の上記のような発光体アレイ（ラインヘッド）１０１（Ｋ、Ｃ、Ｍ、Ｙ）が設けられている。
【００５２】
また、この発光体アレイ（ラインヘッド）１０１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【００５３】
ここで、各発光体アレイ（ラインヘッド）１０１（Ｋ、Ｃ、Ｍ、Ｙ）は、発光体アレイ露光ヘッド１０１（Ｋ、Ｃ、Ｍ、Ｙ）のアレイ方向が感光体ドラム４１（Ｋ、Ｃ、Ｍ、Ｙ）の母線に沿うように設置される。そして、各発光体アレイ（ラインヘッド）１０１（Ｋ、Ｃ、Ｍ、Ｙ）の発光エネルギーピーク波長と、感光体４１（Ｋ、Ｃ、Ｍ、Ｙ）の感度ピーク波長とは略一致するように設定されている。
【００５４】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体４１（Ｋ、Ｃ、Ｍ、Ｙ）に接触あるいは押厚させることにより、感光体４１（Ｋ、Ｃ、Ｍ、Ｙ）の電位レベルに応じて現像剤を付着させることによりトナー像として現像するものである。
【００５５】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等
の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００５６】
なお、図７中、６３は多数枚の記録媒体Ｐが積層保持されている給紙カセット、６４は給紙カセット６３から記録媒体Ｐを一枚ずつ給送するピックアップローラ、６７は二次転写ローラ６６の二次転写部への記録媒体Ｐの供給タイミングを規定するゲートローラ対、６９は二次転写後に中間転写ベルト５０の表面に残留しているトナーを除去するクリーニング手段としてのクリーニングブレードである。
【００５７】
発光素子、例えば有機ＥＬ発光素子を基板に２次元的に配置したラインヘッド（ＯＰＨ：有機ＥＬプリントヘッド）と、結像レンズとして負倍率のＭＬＡ(Micro Lens Array)を用いた露光装置において、結像レンズが負倍率の場合は、結像レンズ内に複数配された発光素子は、副走査方向（Ｙ方向）、すなわち感光体の回動方向からみて下流側から発光させる。また、結像レンズ行毎の発光素子は感光体の回動方向からみて上流側から発光させることで、像担持体に1次元的な潜像を形成する。
【００５８】
図９は、高解像度化を実現するためにラインヘッドの発光素子の２次元的に配置される例を示す説明図である。図３の例では、各結像レンズＡ毎に発光素子Ｂが基板の長手方向（Ｘ方向）に区分されて複数配されているが、図９の例では、発光素子行Ｉａ〜Ｉｃは、基板の長手方向に結像レンズＡの範囲を超えて配されている。図９の結像レンズ内の番号１〜２７は、後述する並び替えデータの配置に対応する。
【００５９】
図１０〜図１２は、本発明の前提技術を示す説明図である。図１０は、ＭＬＡとＯＰＨを組み合わせた露光装置において、制御するドライバＩＣと、制御される発光素子群を含む結像レンズの対応関係を示す説明図である。図１０では、Ｄｒ１（Ｃａ）、Ｄｒ２（Ｃｂ）、Ｄｒ３（Ｃｃ）の３つのドライバＩＣによって、どの結像レンズに対応する発光素子が制御されるのかを、それぞれ、点線（Ｊａ）、一点鎖線（Ｊｂ）、二点鎖線（Ｊｃ）で囲って、各ドライバＩＣにより制御される区域を示している。ドライバＩＣのＤｒ１は、結像レンズ１、２、３、４、５、６、７、８、９に対応する発光素子を制御し、ドライバＩＣのＤｒ２は、結像レンズ１０、１１、１２、１３、１４、１５、１６、１７、１８に対応する発光素子を制御する。また、ドライバＩＣのＤｒ３は、結像レンズ１９、２０、２１、２２、２３、２４、２５、２６、２７に対応する発光素子を制御している。
【００６０】
ドライバＩＣによる発光素子制御は、ラインヘッドの設計と、ドライバＩＣと各発光素子との配線形態により、種々異なる態様となる。例えば図１０において、ドライバＩＣのＤｒ１の場合には、前記のように結像レンズ１、２、３、４、５、６、７、８、９の順序で対応する発光素子にドライバＩＣのＤｒ１と配線される態様がある。また、結像レンズ１、４、７、２、５、８、３、６、９の順序で対応する発光素子にドライバＩＣのＤｒ１と配線される態様もある。
【００６１】
図１１は、結像レンズとしてＭＬＡを用いた場合に、図１０の配線をする際の画像データの並べ替えの例を示す説明図である。図１１において、前記のように、結像レンズ１、２、３、４、５、６、７、８、９の順序で対応する発光素子にドライバＩＣのＤｒ１と配線される場合には、Ｋａの範囲に示すような画像データの配列とする。この場合には、発光素子から出力される画像データは、結像レンズが負倍率のため、Ｙ方向およびＸ方向で反転し、感光体には画像データ１〜９による１つの直線の潜像が形成される。ドライバＩＣのＤｒ２についての画像データの配列は、範囲Ｋｂで示され、ドライバＩＣのＤｒ３についての画像データの配列は、範囲Ｋｃで示される。
【００６２】
図１２は、画像データの並べ替えの他の例を示す説明図である。図１２においては、結像レンズ１、４、７、２、５、８、３、６、９の順序で対応する発光素子にドライバＩＣのＤｒ１と配線される例を示している。この例では、ドライバＩＣのＤｒ１と配線される発光素子に対する画像データの並び替えは、Ｌａの範囲で示されている。ドライバＩＣのＤｒ２についての画像データの配列は、範囲Ｌｂで示され、ドライバＩＣのＤｒ３についての画像データの配列は、範囲Ｌｃで示される。
【００６３】
図１３は、発行素子が基板Ｗの長手方向（感光体の軸方向）と幅方向（感光体の回動方向）に複数配されている場合のドライバＩＣのＤｒ１〜Ｄｒ４との配置関係を示す説明図である。図１３において、ＶはＯＨＰ（有機ＥＬプリントヘッド、すなわち本発明のラインヘッド）パネルで基板Ｗ上に実装され、その長手方向には、複数の発光素子からなる発光素子行Ｉａ〜Ｉｃが形成されている。各発光素子行Ｉａ〜Ｉｃは、感光体の回動方向に複数列の発光素子が配されている。
【００６４】
ＯＨＰパネルＶの感光体回動方向からみた上流側および下流側の両側には、ＦＰＣ（フレキシブルプリント基板）Ｚａ〜Ｚｄが接続される。各ＦＰＣＺａ〜Ｚｄには、ドライバＩＣのＤｒｖＩＣ１〜ＤｒｖＩＣ４（Ｃａ〜Ｃｄ）が実装されている。図１３の例では、ＯＨＰパネルＶの感光体回動方向からみた上流側および下流側の両側には、２個づつのＦＰＣが対称の位置でＯＨＰパネルＶに接続されている。
【００６５】
図１４は、制御部７０のブロック図である。図８で説明したように、８０はラインヘッドの制御部７０と接続される本体コントローラである。７５は制御回路、７６は駆動回路、７７はメモリ、６１は有機ＥＬ素子を用いた発光素子で、感光体の軸方向（Ｘ方向、主走査方向）と感光体の回動方向（Ｙ方向、副走査方向）に複数配されている。Ｙ方向に複数行の発光素子を配置するのは、解像度の向上などを目的としている。制御部７０の制御回路７５、駆動回路７６、メモリ７７は、前記ＦＰＣに実装されている。
【００６６】
発光素子６１は、ＯＰＨパネルＶに実装されており、図１３で説明したように、ＯＰＨパネルＶの感光体回動方向からみた上流側および下流側の両側には、ＦＰＣに実装された駆動回路（ドライバＩＣ）７６ａ〜７６ｄが設けられている。本体コントローラ８０で形成された画像データは、制御部７０に送信され一旦メモリ７７に記憶される。制御回路７５はメモリ７７に記憶されている画像データを読み出し、駆動信号を形成し駆動回路７６ａ〜７６ｄを通して各発光素子６１に供給する。
【００６７】
図１５は、ＦＰＣと発光素子の接続例を示す説明図である。図１５においては、１つのＭＬＡに対して複数の発光素子が配置されている。これらの発光素子には、ＤＭＵＸ（多重化多重分離装置）によってドライバＩＣの出力データが振り分けられる。Ｚａ〜Ｚｄは、図１３で説明したＦＰＣで、各ＦＰＣにはドライバＩＣが実装されている。
【００６８】
ＦＰＣのＺａは、１〜３９０の接続端子を有している。以下、Ｚｂは３９１〜７８０の接続端子、Ｚｃは７８１〜１１７０の接続端子、Ｚｄは１１７１〜１５６０の接続端子を有している。それぞれの接続端子は、６個の発光素子と接続されている。したがって、図１５の例では、６×１５６０＝９３６０、となり、ＯＰＨパネルＶに実装されている発光素子の総数は、９３６０個となる。
【００６９】
図１６は、図１５で説明した構成で、ＦＰＣの単一の接続端子と発光素子とを配線で電気的に接続する例を示す説明図である。図１６の例では、Ｚａの接続端子１と６個の発光素子１〜６、接続端子２と６個の発光素子７〜１２との接続例を示している。各発光素子１〜１２にはそれぞれ接続端子１ａ〜１２ａが設けられている。Ｚａの接続端子１と発光素子１〜６の接続端子１ａ〜６ａは、それぞれ配線Ｕ１〜Ｕ６で接続される。また、Ｚａ
の接続端子２と発光素子６〜１２の接続端子６ａ〜１２ａは、それぞれ配線Ｕ７〜Ｕ１２で接続される。このように、図１５、図１６の例では、１つのＭＬＡに対し６０個の発光素子が実装されており、ＦＰＣ接続端子のＤＩＮ(ＤＡＴＡ ＩＮ)と発光素子間で、１：６でデータが振り分けられている。
【００７０】
ＦＰＣに駆動回路を実装する例について、図１７〜図２２により説明する。図１７、図１９、図２１においては、ＦＰＣの図示を省略している。図１０の例では、発光素子行がＩａ〜Ｉｃの３行で、ドライバＩＣもＤｒ１〜Ｄｒ３の３個であり、各ドライバＩＣはすべての発光素子行がＩａ〜Ｉｃに含まれる発光素子と配線で結線されている。このため、ドライバＩＣと各発光素子行に含まれる発光素子とを接続する配線長が長くなると考えられる。図１７、図１９、図２１の例は、図１０のような発光素子行に含まれる発光素子とドライバＩＣとの配線の構成を改良するものである。図１７は、本発明の実施形態を示す説明図である。図１７の例では結像レンズ行がＲ、Ｓ、Ｔの３行で、発光素子の制御を結像レンズ単位で行う例を示している。また、発光素子行Ｉａ〜Ｉｃが、感光体の回動方向に３行配されている。発光素子を制御するドライバＩＣは、感光体の回動方向の上流側にＤｒ２が１つ設けられ、感光体の回動方向の下流側にＤｒ１、Ｄｒ３が２つ設けられている。Ｄｒ１、Ｄｒ２、Ｄｒ３の３つのドライバＩＣによって、どの結像レンズに対応する発光素子が制御されるのかを、それぞれ、点線（Ｄｒ１）、一点鎖線（Ｄｒ２）、二点鎖線（Ｄｒ３）で囲んだ区域Ｍａ〜Ｍｃで示している。
【００７１】
図１７の例では、ドライバＩＣのＤｒ１は、結像レンズ３、６、９、１２、２、５、８、１１、１４に対応する発光素子を制御している。また、ドライバＩＣのＤｒ２は、結像レンズ１,４,７,１０,１３,１６,１９,２２,２５に対応する発光素子を制御している。さらに、ドライバＩＣのＤｒ３は、結像レンズ１５、１８、２１、２４、２７、１７、２０、２３、２６に対応する発光素子を制御している。
【００７２】
ドライバＩＣのＤｒ１は、発光素子行Ｉａ〜Ｉｃの３行の中で、Ｉａ、Ｉｂの２行の発光素子行に含まれる発光素子を制御している。また、ドライバＩＣのＤｒ１は、発光素子行Ｉａ〜Ｉｃの３行の中で、Ｉｃ１行の発光素子行に含まれる発光素子を制御している。さらに、ドライバＩＣのＤｒ１は、発光素子行Ｉａ〜Ｉｃの３行の中で、Ｉａ、Ｉｂの２行の発光素子行に含まれる発光素子を制御している。このように、発光素子行の感光体の回動方向の列数をｎとしたときに、各ドライバＩＣは、ｎ−１行以下の発光素子行に含まれる発光素子と配線で接続されている。ここに、（ｎ−１＞１）である。このため、ドライバＩＣがすべての発光素子行に含まれる発光素子と配線で接続される場合よりも、合理的な配線が可能となり、配線処理を簡素化できる。
【００７３】
図１８は、図１７の例に対応する画像データの並び替えを示す説明図である。図１７において、結像レンズ対応の発光素子に対するドライバＩＣとの配線は、ドライバＩＣのＤｒ１に接続される発光素子〜Ｄｒ３に接続される発光素子の順番になされているものとする。結像レンズに対応した発光素子に対するドライバＩＣのＤｒ１で制御される発光素子に対する画像データの並び替え範囲は、Ｎａで示されている。また、ドライバＩＣのＤｒ２で制御される発光素子に対する画像データの並び替え範囲は、Ｎｂで示されており、ドライバＩＣのＤｒ３で制御される発光素子に対する画像データの並び替え範囲は、Ｎｃで示されている。このように画像データの並び変えを行うと、感光体には1ラインの直線潜像が形成される。
【００７４】
図１９は、本発明の実施形態を示す説明図である。図１９の例では結像レンズ行がＲ、Ｓ、Ｔの３行で、発光素子の制御を発光素子行単位で行う例を示している。発光素子行Ｉａ〜Ｉｃが、感光体の回動方向に３行配されている。この例では、発光素子を制御するドライバＩＣは、感光体の回動方向の上流側にＤｒ２、Ｄｒ３の２つが設けられており、感
光体の回動方向の下流側にＤｒ１、Ｄｒ４の２つが設けられている。
【００７５】
Ｄｒ１、Ｄｒ２、Ｄｒ３、Ｄｒ４の４つのドライバＩＣによって、どの発光素子行の発光素子が制御されるのかを、それぞれ、点線（Ｄｒ１）、破線（Ｄｒ２）、一点鎖線（Ｄｒ３）、二点鎖線（Ｄｒ４）で囲んだ区域Ｐａ〜Ｐｃで示している。図１９の例では、ドライバＩＣのＤｒ１〜Ｄｒ４は、すべて感光体の回動方向に３行配されている発光素子行Ｉａ〜Ｉｃの中で、２行の発光素子行に含まれる発光素子と接続されている。このため、配線処理が簡素化される。
【００７６】
図２０は、図１９の例に対応する画像データの並び替えを示す説明図である。図２０において、発光素子行Ｉａ〜Ｉｃはそれぞれ感光体の回動方向に４行の発光素子行が形成されている。ドライバＩＣのＤｒ１は、結像レンズ３、６、９、１２に対応する発光素子行Ｉａと、結像レンズ２、５、８、１１、１４に対応する発光素子行Ｉｂの上段の発光素子行の発光素子を制御している。
【００７７】
ドライバＩＣのＤｒ２は、結像レンズ２、５、８、１１、１４に対応する発光素子行Ｉｂの下段の発光素子行の発光素子と、結像レンズ１、４、７、１０に対応する発光素子行Ｉｃの発光素子を制御している。ドライバＩＣのＤｒ３は、結像レンズ１３、１６、１９、２２、２５に対応する発光素子行Ｉｃの発光素子と、結像レンズ１７、２０、２３、２６に対応する発光素子行Ｉｂの下段の発光素子行の発光素子を制御している。ドライバＩＣのＤｒ４は、結像レンズ１７、２０、２３、２６に対応する発光素子行Ｉｂの上段の発光素子行の発光素子と、結像レンズ１５、１８、２１、２４、２７に対応する発光素子行Ｉａの発光素子を制御している。
【００７８】
Ｑａ〜Ｑｄは、それぞれドライバＩＣのＤｒ１〜Ｄｒ４で制御される
発光素子に対する画像データの並び替え範囲を示している。結像レンズ対応の発光素子行の発光素子に対するドライバＩＣとの配線は、ドライバＩＣのＤｒ１に接続される発光素子〜Ｄｒ４に接続される発光素子の順番になされているものとする。この際に、図２０のように画像データの並び変えを行うと、感光体には1ラインの直線潜像が形成される。
【００７９】
図２１は、本発明の実施形態を示す説明図である。図２１の例では結像レンズ行がＲ、Ｓ、Ｔ、θの４行で、発光素子の制御を結像レンズ単位で行う例を示している。また、発光素子行Ｉａ〜Ｉｄが、感光体の回動方向に４行配されている。発光素子を制御するドライバＩＣは、感光体の回動方向の上流側にＤｒ２、Ｄｒ３の２つが設けられており、感光体の回動方向の下流側にＤｒ１、Ｄｒ４の２つが設けられている。
【００８０】
ドライバＩＣのＤｒ１、Ｄｒ２、Ｄｒ３、Ｄｒ４の４つのドライバＩＣによって、どの発光素子行の発光素子が制御されるのかを、それぞれ、点線（Ｄｒ１）、破線（Ｄｒ２）、一点鎖線（Ｄｒ３）、二点鎖線（Ｄｒ４）で囲んだ区域（αａ〜αｄ）で示している。図２１の例では、ドライバＩＣのＤｒ１〜Ｄｒ４は、すべて感光体の回動方向に４行配されている発光素子行Ｉａ〜Ｉｄの中で、２行の発光素子行に含まれる発光素子と接続されている。このため、配線処理が簡素化される。
【００８１】
この例では、ドライバＩＣのＤｒ１は、結像レンズ４、８、１２、１６、３、７、１１、１５、１９、に対応する発光素子行Ｉａ、Ｉｂの発光素子を制御している。ドライバＩＣのＤｒ２は、結像レンズ２、６、１０、１４、１８、１、５、９、１３、に対応する発光素子行Ｉｃ、Ｉｄの発光素子を制御している。ドライバＩＣのＤｒ３は、結像レンズ２０、２４、２８、３２、３６、２３、２７、３１、３５に対応する発光素子行Ｉｃ、Ｉｄの発光素子を制御している。ドライバＩＣのＤｒ４は、結像レンズ２２、２６、３０、３４、１７、２１、２５、２９、３３に対応する発光素子行Ｉａ、Ｉｂの発光素子を制御し
ている。
【００８２】
図２２は、図２１の例に対応する画像データの並び替えを示す説明図である。図２２において、結像レンズ対応の発光素子に対するドライバＩＣとの配線は、ドライバＩＣのＤｒ１に接続される発光素子〜Ｄｒ４に接続される発光素子の順番になされているものとする。結像レンズに対応した発光素子に対するドライバＩＣのＤｒ１で制御される発光素子に対する画像データの並び替え範囲は、βａで示されている。また、ドライバＩＣのＤｒ２で制御される発光素子に対する画像データの並び替え範囲は、βｂで示されており、ドライバＩＣのＤｒ３で制御される発光素子に対する画像データの並び替え範囲は、βｃで示されている。さらに、ドライバＩＣのＤｒ４で制御される発光素子に対する画像データの並び替え範囲は、βｄで示されている。このように画像データの並び替えを行うと、感光体には1ラインの直線潜像が形成される。
【００８３】
本発明の実施形態においては、図１に示されているように、駆動回路を、感光体の回動方向からみて基板の片側に設けている。このため、駆動回路を設けない側のスペースを節約することができる。なお、図示を省略しているが、駆動回路を、感光体の回動方向からみて基板の両側に設ける形態とすることもできる。この場合には、駆動回路に近い発光素子と結線できるので、配線長さを短くすることができる。
【００８４】
駆動回路をＦＰＣに実装する場合には、図１３に示されているように、感光体の回動方向からみて基板の両側にＦＰＣを設けている。この場合には、ラインヘッドの制御部を基板に対してバランス良く配置することができる。また、前記基板の両側に設けるＦＰＣの数は、図１７のように、一方を１つ、他方を２つというように異ならせることができる。この場合には、基板の感光体の回動方向に複数行の発光素子行を配した際に、それぞれの発光素子行に対する制御部を合理的に配置できる。図１７の例では、感光体の回動方向で上流側の発光素子行Ｉｃに対して、基板の片側に設けたＦＰＣに実装されたドライバＩＣのＤｒ２が制御することになり、ラインヘッドの構成の自由度を向上させることができる。
【００８５】
なお、前記基板の両側に設けるＦＰＣの数は、図１９、図２１のように、両側とも２つというように同じ数とすることができる。図１９のでは、発光素子行が３行で、ＦＰＣは４つになり、ＦＰＣの数は発光素子行の数よりも多くなるので、発光素子に対する制御の負担を軽減することができる。また、図２２の例では、発光素子行が４行でＦＰＣも４つであり、発光素子行の数とＦＰＣの数は同数である。この場合には、基板の感光体の軸方向および感光体の回動方向に複数配されている発光素子を適宜区分して、区分したそれぞれの発光素子のグループの制御を最も近傍に配されているＦＰＣの制御部で合理的に行える。
【００８６】
以上、本発明のラインヘッドおよびこれを用いた画像形成装置をその原理と実施例に基づいて説明してきたが、本発明はこれら実施例に限定されず種々の変形が可能である。
【図面の簡単な説明】
【００８７】
【図１】本発明の実施形態を示す説明図である。
【図２】本発明の実施形態を示す説明図である。
【図３】本発明の実施形態を示す説明図である。
【図４】本発明の参考例を示す説明図である。
【図５】本発明の参考例を示す説明図である。
【図６】本発明の参考例を示す説明図である。
【図７】本発明の電子写真プロセスを用いた画像形成装置の１実施例の全体構成を示す模式的断面図である。
【図８】制御部を示すブロック図である。
【図９】本発明の実施形態を示す説明図である。
【図１０】本発明の前提技術を示す説明図である。
【図１１】本発明の前提技術を示す説明図である。
【図１２】本発明の前提技術を示す説明図である。
【図１３】本発明の実施形態を示す説明図である。
【図１４】制御部を示すブロック図である。
【図１５】本発明の実施形態を示す説明図である。
【図１６】本発明の実施形態を示す説明図である。
【図１７】本発明の実施形態を示す説明図である。
【図１８】本発明の実施形態を示す説明図である。
【図１９】本発明の実施形態を示す説明図である。
【図２０】本発明の実施形態を示す説明図である。
【図２１】本発明の実施形態を示す説明図である。
【図２２】本発明の実施形態を示す説明図である。
【符号の説明】
【００８８】
４１（Ｋ、Ｃ、Ｍ、Ｙ）・・・感光体ドラム（像担持体）、４２（Ｋ、Ｃ、Ｍ、Ｙ）・・・帯電手段（コロナ帯電器）、４４（Ｋ、Ｃ、Ｍ、Ｙ）・・・現像装置、４５（Ｋ、Ｃ、Ｍ、Ｙ）・・・一次転写ローラ、５０・・・中間転写ベルト、６１・・・発光素子、６６・・・二次転写ローラ、７０・・・制御部、７５・・・制御回路、７６ａ〜７６ｄ・・・駆動回路、７７・・・メモリ、８０・・・本体コントローラ、１０１Ｋ、１０１Ｃ、１０１Ｍ、１０１Ｙ・・・発光体アレイ（ラインヘッド）、Ａ・・・結像レンズ、Ｂ・・・発光素子グループ、Ｃａ、Ｃｂ、Ｃｃ、Ｃｄ・・・ドライバＩＣ、Ｈａ〜Ｈｃ、Ｋａ〜Ｋｃ、Ｌａ〜Ｌｃ、Ｎａ〜Ｎｃ、Ｑａ〜Ｑｄ、βａ〜βｄ・・・画像データの並び替え範囲、Ｒ、Ｓ、Ｔ、θ・・・結像レンズ行、Ｉａ〜Ｉｄ・・・発光素子行、Ｚａ〜Ｚｄ・・・ＦＰＣ（フレキシブルプリント基板）、Ｕ１〜Ｕ１２・・・配線、Ｖ・・・ＯＰＨパネル、Ｘ・・・感光体の軸方向（主走査方向）、Ｙ感光体の回動方向（副走査方向）
【図１】
2009190391.tif 000003
【図２】
2009190391.tif 000004
【図３】
2009190391.tif 000005
【図４】
2009190391.tif 000006
【図５】
2009190391.tif 000007
【図６】
2009190391.tif 000008
【図７】
2009190391.tif 000009
【図８】
2009190391.tif 000010
【図９】
2009190391.tif 000011
【図１０】
2009190391.tif 000012
【図１１】
2009190391.tif 000013
【図１２】
2009190391.tif 000014
【図１３】
2009190391.tif 000015
【図１４】
2009190391.tif 000016
【図１５】
2009190391.tif 000017
【図１６】
2009190391.tif 000018
【図１７】
2009190391.tif 000019
【図１８】
2009190391.tif 000020
【図１９】
2009190391.tif 000021
【図２０】
2009190391.tif 000022
【図２１】
2009190391.tif 000023
【図２２】
2009190391.tif 000024
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
基板と、
前記基板に配設された発光素子と、
前記発光素子を駆動させる駆動回路と、
前記駆動回路と前記発光素子とを電気的に接続する配線と、を有し、
前記発光素子は、ｎ行（ここで、ｎは２以上の整数）の発光素子行を形成するとともに、
前記駆動回路はｎ−１行以下の行に属する発光素子と前記配線で電気的に接続されることを特徴とする、ラインヘッド。
【請求項２】
前記ｎ行の発光素子行を構成する前記発光素子からの光を結像する結像光学系を有する請求項１に記載のラインヘッド。
【請求項３】
前記配線と電気的に接続されるフレキシブルプリント基板を有し、前記駆動回路は前記フレキシブルプリント基板に配設される請求項１または２に記載のラインヘッド。
【請求項４】
前記駆動回路を２個以上設けた請求項１ないし請求項３のいずれか１つに記載のラインヘッド。
【請求項５】
前記駆動回路をドライバＩＣで構成する請求項１ないし請求項４のいずれか１つに記載のラインヘッド。
【請求項６】
前記結像光学系は光学倍率がマイナスである請求項２ないし請求項５のいずれか１つに記載のラインヘッド。
【請求項７】
感光体ドラムと、
基板、前記基板に配設された発光素子、前記発光素子を駆動させる駆動回路、前記駆動回路と前記発光素子とを電気的に接続する配線、及び前記発光素子からの光を結像する結像光学系を有するラインヘッドと、
前記ラインヘッドに画像データを供給する制御手段と、を有し、
前記発光素子は、前記感光体ドラムの回転方向にｎ行（ここで、ｎは２以上の整数）の発光素子行を形成するとともに、
前記駆動回路はｎ−１行以下の行に属する発光素子と前記配線で電気的に接続されることを特徴とする画像形成装置。
【請求項８】
前記結像光学系は光学倍率がマイナスである請求項７に記載の画像形成装置。
【請求項９】
前記制御手段は、前記画像データを、前記感光体ドラムの軸方向および回動方向で反転させて並び替えを行う請求項８に記載の画像形成装置。
【請求項１０】
前記制御手段は、前記駆動回路と前記発光素子とを電気的に接続する前記配線の構成によって、前記発光素子に送出する画像データの並び替えを行う請求項８に記載の画像形成装置。
【請求項１１】
前記駆動回路を前記感光体ドラムの回動方向の一方側に設けた請求項７ないし請求項１０のいずれか１つに記載の画像形成装置。
【請求項１２】
前記駆動回路を前記感光体ドラムの回動方向の前記基板の両側に設ける請求項７ないし請求項１０のいずれか１つに記載の画像形成装置。
【請求項１３】
前記配線と電気的に接続されるフレキシブルプリント基板を有し、前記駆動回路は前記フレキシブルプリント基板に配設される請求項７に記載の画像形成装置。
【請求項１４】
前記フレキシブルプリント基板を、前記感光体の回動方向の前記基板の両側に設ける請求項１３に記載の画像形成装置。
【請求項１５】
前記感光体ドラムの回動方向の前記基板の一方側に設けるフレキシブルプリント基板数と、他方側に設けるフレキシブルプリント基板数が異なる請求項１４に記載の画像形成装置。
【手続補正２】
【補正対象書類名】明細書
【補正対象項目名】０００２
【補正方法】変更
【補正の内容】
【０００２】
一般に、電子写真方式のトナー像形成手段は、外周面に感光層を有する像担持体としての感光体ドラムと、この感光体ドラムの外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【手続補正３】
【補正対象書類名】明細書
【補正対象項目名】０００４
【補正方法】変更
【補正の内容】
【０００４】
特許文献１には、図８のブロック図に示されているような前記駆動回路が記載されている。図８において、８０はラインヘッドの制御部７０と接続される本体コントローラであ
る。７５は制御回路、７６は駆動回路、７７はメモリ、６１は有機ＥＬ素子を用いた発光素子で、感光体ドラムの軸方向（Ｘ方向、主走査方向）と感光体ドラムの回動方向（Ｙ方向、副走査方向）に複数配されている。Ｙ方向に複数行の発光素子を配置するのは、解像度の向上などを目的としている。発光素子６１は、前記駆動回路７６に接続されている。本体コントローラ８０で形成された画像データは、制御部７０に送信され一旦メモリ７７に記憶される。制御回路７５はメモリ７７に記憶されている画像データを読み出し、駆動信号を形成し駆動回路７６を通して各発光素子６１に供給する。
【手続補正４】
【補正対象書類名】明細書
【補正対象項目名】０００６
【補正方法】変更
【補正の内容】
【０００６】
発光素子が２次元配置されている場合に、結像レンズとして光学倍率がマイナスのマイクロレンズを用いる構成では、感光体ドラムの軸方向および回動方向に画像データを反転して並び替えて駆動回路を動作させる必要がある。しかしながら、特許文献１に記載されているラインヘッドは、光学倍率がプラスの結像レンズを用いている。このため、特許文献１に記載の技術をそのまま用いると、感光体ドラムの回動方向で元画像とは異なる潜像が形成されることになり、画質が劣化するという問題があった。
【手続補正５】
【補正対象書類名】明細書
【補正対象項目名】０００９
【補正方法】変更
【補正の内容】
【０００９】
上記目的を達成する本発明のラインヘッドは、
基板と、
前記基板に配設された発光素子と、
前記発光素子を駆動させる駆動回路と、
前記駆動回路と前記発光素子とを電気的に接続する配線と、を有し、
前記発光素子は、ｎ行（ここで、ｎは２以上の整数）の発光素子行を形成するとともに、
前記駆動回路はｎ−１行以下の行に属する発光素子と前記配線で電気的に接続されることを特徴とする。
【手続補正６】
【補正対象書類名】明細書
【補正対象項目名】００１２
【補正方法】変更
【補正の内容】
【００１２】
また、本発明のラインヘッドは、前記駆動回路を２個以上設けたことを特徴とする。
【手続補正７】
【補正対象書類名】明細書
【補正対象項目名】００１７
【補正方法】変更
【補正の内容】
【００１７】
また、本発明の画像形成装置は、前記制御手段は、前記画像データを、前記感光体ドラムの軸方向および回動方向で反転させて並び替えを行うことを特徴とする。
【手続補正８】
【補正対象書類名】明細書
【補正対象項目名】００１８
【補正方法】変更
【補正の内容】
【００１８】
また、本発明の画像形成装置は、前記制御手段は、前記駆動回路と前記発光素子とを電気的に接続する前記配線の構成によって、前記発光素子行毎に送出する画像データの並び替えを行うことを特徴とする。
【手続補正９】
【補正対象書類名】明細書
【補正対象項目名】００１９
【補正方法】変更
【補正の内容】
【００１９】
また、本発明の画像形成装置は、前記駆動回路を前記感光体ドラムの回動方向の前記基板の一方側に設けたことを特徴とする。
【手続補正１０】
【補正対象書類名】明細書
【補正対象項目名】００２２
【補正方法】変更
【補正の内容】
【００２２】
また、本発明の画像形成装置は、前記フレキシブルプリント基板を、前記感光体ドラムの回動方向の前記基板の両側に設けることを特徴とする。
【手続補正１１】
【補正対象書類名】明細書
【補正対象項目名】００２３
【補正方法】変更
【補正の内容】
【００２３】
また、本発明の画像形成装置は、前記感光体ドラムの回動方向の前記基板の一方側に設けるフレキシブルプリント基板数と、他方に設けるフレキシブルプリント基板数が異なることを特徴とする。
【手続補正１２】
【補正対象書類名】明細書
【補正対象項目名】００２４
【補正方法】変更
【補正の内容】
【００２４】
図３は、本発明の実施形態におけるラインヘッドの例を示す概略の説明図である。図３において、Ａは光学倍率がマイナスの結像レンズ、Ｂは結像レンズＡ内に配置される複数
の発光素子からなる発光素子グループである。また、発光素子の発光方向は、紙面に向かって手前側に発光するものとする。結像レンズＡは、感光体ドラムの軸方向（Ｘ方向、主走査方向）に複数配置され、また、感光体ドラムの回動方向（Ｙ方向、副走査方向）にも複数配置されている。各結像レンズＡ内に配置される発光素子グループＢは、この例ではＸ方向、Ｙ方向に複数設けられている。
【手続補正１３】
【補正対象書類名】明細書
【補正対象項目名】００２５
【補正方法】変更
【補正の内容】
【００２５】
このように、結像レンズＡは、Ｘ方向とＹ方向に複数配置されて結像レンズ行Ｒ、Ｓ、Ｔが形成されている。この結像レンズ行は、発光素子グループ行にも相当する。したがって、発光素子グループ行Ｒ、Ｓ、Ｔが形成されていることになる。なお、発光素子グループ行は、感光体ドラムの軸方向で見た場合には、発光素子行Ｉａ〜Ｉｃとして表すことができる。図３の例では、発光素子行Ｉａ〜Ｉｃが感光体の軸方向に３行配されている。
【手続補正１４】
【補正対象書類名】明細書
【補正対象項目名】００２６
【補正方法】変更
【補正の内容】
【００２６】
結像レンズ行Ｒは、感光体ドラムの回動方向（Ｙ方向）の上流側であり、結像レンズ行Ｔは、感光体ドラムの回動方向（Ｙ方向）の下流側である。結像レンズＡには、便宜上１〜２７の番号を付している。図３の例では、結像レンズ行Ｒ、Ｓ、ＴはＹ方向に３行配置されており、各結像レンズ行Ｒ、Ｓ、ＴのＸ方向の配置位置が異なる千鳥状配置とされている。
【手続補正１５】
【補正対象書類名】明細書
【補正対象項目名】００２８
【補正方法】変更
【補正の内容】
【００２８】
ドライバＩＣのＣａは、区域Ｅａの発光素子を駆動する。また、ドライバＩＣのＣｂは、区域Ｅｂの発光素子を駆動し、ドライバＩＣのＣｃは、区域Ｅｃの発光素子を駆動する。すなわち、結像レンズ１〜９に対応する各発光素子は、ドライバＩＣのＣａで駆動され、結像レンズ１０〜１８に対応する各発光素子は、ドライバＩＣのＣｂで駆動される。また、結像レンズ１９〜２７に対応する各発光素子は、ドライバＩＣのＣｃで駆動される。
【手続補正１６】
【補正対象書類名】明細書
【補正対象項目名】００３０
【補正方法】変更
【補正の内容】
【００３０】
図３、図４において、結像レンズＡは光学倍率がマイナスのマイクロレンズを使用している。このため、各ドライバＩＣに供給される発光素子の駆動信号は、元画像通りに感光
体ドラムに潜像を形成するには、発光素子グループ毎に、画像データをＸ方向とＹ方向に反転する必要がある。また、各ドライバＩＣと各発光素子グループの結線順序と、発光素子および結像レンズ間のピッチにより、Ｘ方向とＹ方向にデータを並べ替える必要がある。
【手続補正１７】
【補正対象書類名】明細書
【補正対象項目名】００３２
【補正方法】変更
【補正の内容】
【００３２】
このように、感光体ドラムの回動方向（Ｙ方向）の上流側からみて、結像レンズは「１、４、７」、「２、５、８」、「３、６、９」の順序で配列されている。また、各発光素子間と、各発光素子グループ間には、感光体ドラムの回動方向（Ｙ方向）に沿って一定のピッチをもって配置されており、各発光素子に対応するデータは、このピッチに応じて、感光体ドラムの回動方向（Ｙ方向）に一定の間隔を空けて配置される。
【手続補正１８】
【補正対象書類名】明細書
【補正対象項目名】００３３
【補正方法】変更
【補正の内容】
【００３３】
ここで、ドライバＩＣのＣａと、結像レンズ１〜９に対応する発光素子への結線順序について説明する。図３、図４の例では、結像レンズ「１、２、３、４、５、６、７、８、９」の順序で結線されている。また、各結像レンズ内の発光素子には、素子が発光しない場合には０のデータを入力する必要があるので、Ｒ行のデータは、「２、３、５、６、８、９」のレンズに対応したデータ部分に０データが補填されている。
【手続補正１９】
【補正対象書類名】明細書
【補正対象項目名】００４４
【補正方法】変更
【補正の内容】
【００４４】
ドライバＩＣのＣｂで駆動される、Ｙ方向上流側の結像レンズ「１、４、７、１０、１３、１６、１９、２２、２５」に対する発光素子グループ行の発光素子への画像データは、Ｙ方向上流側に並び替えられ、画像データの並び替えの範囲はＨｂとなる。ドライバＩＣのＣｃで駆動される、Ｙ方向下流側の結像レンズ「１５、１８、２１、２４、２７」に対する発光素子グループ行の発光素子への画像データは、Ｙ方向下流側に並び替えられる。Ｙ方向中段の結像レンズ「１７、２０、２３、２６」に対する発光素子グループ行の発光素子への画像データは、並び替えを行わない。このようにして、画像データの並び替えの範囲はＨｃとなる。
【手続補正２０】
【補正対象書類名】明細書
【補正対象項目名】００４６
【補正方法】変更
【補正の内容】
【００４６】
図１、図２の実施形態においては、感光体ドラムの回動方向に複数の発光素子をグループ化した発光素子行をｎ行（この例ではｎ＝３）配した発光素子基板と、発光素子を駆動するドライバＩＣと、を有し、１つのドライバＩＣをｎ−１行以下（この例では２行）の行の発光素子行の発光素子と接続する構成としている。
【手続補正２１】
【補正対象書類名】明細書
【補正対象項目名】００４７
【補正方法】変更
【補正の内容】
【００４７】
図３で説明したように、発光素子と結像レンズをＸ方向（主走査方向）とＹ方向（副走査方向）に多数配置したラインヘッドにおいては、発光素子間のＸ方向ピッチと発光素子数、および発光素子グループ行のＹ方向の行数、ならびに結像レンズ間のＸ方向ピッチと結像レンズ数、結像レンズのＹ方向の行数を考慮して画像データを並び替えるだけでは、正常な潜像を得えることはできない。本発明の実施形態においては、ドライバＩＣが制御する発光素子の結線の態様を考慮して画像データの並び替えを行なっているので、感光体ドラムに正常な潜像を形成することができる。
【手続補正２２】
【補正対象書類名】明細書
【補正対象項目名】００５０
【補正方法】変更
【補正の内容】
【００５０】
図７に示すように、この画像形成装置は、駆動ローラ５１と従動ローラ５２とテンションローラ５３が設けられており、テンションローラ５３によりテンションを加えて張架されて、図示矢印方向（反時計方向）へ循環駆動される中間転写ベルト（中間転写媒体）５０を備えている。この中間転写ベルト５０に対して所定間隔で配置された４個の像担持体としての外周面に感光層を有する感光体ドラム４１Ｋ、４１Ｃ、４１Ｍ、４１Ｙが配置される。
【手続補正２３】
【補正対象書類名】明細書
【補正対象項目名】００５１
【補正方法】変更
【補正の内容】
【００５１】
前記符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体ドラム４１Ｋ、４１Ｃ、４１Ｍ、４１Ｙは、中間転写ベルト５０の駆動と同期して図示矢印方向（時計方向）へ回転駆動される。各感光体ドラム４１（Ｋ、Ｃ、Ｍ、Ｙ）の周囲には、それぞれ感光体ドラム４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を、感光体ドラム４１（Ｋ、Ｃ、Ｍ、Ｙ）の回転に同期して順次ライン走査する本発明の上記のような発光体アレイ（ラインヘッド）１０１（Ｋ、Ｃ、Ｍ、Ｙ）が設けられている。
【手続補正２４】
【補正対象書類名】明細書
【補正対象項目名】００５２
【補正方法】変更
【補正の内容】
【００５２】
また、この発光体アレイ（ラインヘッド）１０１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体ドラム４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【手続補正２５】
【補正対象書類名】明細書
【補正対象項目名】００５３
【補正方法】変更
【補正の内容】
【００５３】
ここで、各発光体アレイ（ラインヘッド）１０１（Ｋ、Ｃ、Ｍ、Ｙ）は、発光体アレイ露光ヘッド１０１（Ｋ、Ｃ、Ｍ、Ｙ）のアレイ方向が感光体ドラム４１（Ｋ、Ｃ、Ｍ、Ｙ）の母線に沿うように設置される。そして、各発光体アレイ（ラインヘッド）１０１（Ｋ、Ｃ、Ｍ、Ｙ）の発光エネルギーピーク波長と、感光体４１（Ｋ、Ｃ、Ｍ、Ｙ）の感度ピーク波長とは略一致するように設定されている。
【手続補正２６】
【補正対象書類名】明細書
【補正対象項目名】００５４
【補正方法】変更
【補正の内容】
【００５４】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体ドラム４１（Ｋ、Ｃ、Ｍ、Ｙ）に接触あるいは押厚させることにより、感光体ドラム４１（Ｋ、Ｃ、Ｍ、Ｙ）の電位レベルに応じて現像剤を付着させることによりトナー像として現像するものである。
【手続補正２７】
【補正対象書類名】明細書
【補正対象項目名】００５７
【補正方法】変更
【補正の内容】
【００５７】
発光素子、例えば有機ＥＬ発光素子を基板に２次元的に配置したラインヘッド（ＯＰＨ：有機ＥＬプリントヘッド）と、結像レンズとして負倍率のＭＬＡ(Micro Lens Array)を用いた露光装置において、結像レンズが負倍率の場合は、結像レンズ内に複数配された発光素子は、副走査方向（Ｙ方向）、すなわち感光体ドラムの回動方向からみて下流側から発光させる。また、結像レンズ行毎の発光素子は感光体ドラムの回動方向からみて上流側から発光させることで、像担持体に1次元的な潜像を形成する。
【手続補正２８】
【補正対象書類名】明細書
【補正対象項目名】００５９
【補正方法】変更
【補正の内容】
【００５９】
図１０〜図１２は、本発明の異なる実施形態の前提技術を示す説明図である。図１０は、ＭＬＡとＯＰＨを組み合わせた露光装置において、制御するドライバＩＣと、制御される発光素子群を含む結像レンズの対応関係を示す説明図である。図１０では、Ｄｒ１（Ｃａ）、Ｄｒ２（Ｃｂ）、Ｄｒ３（Ｃｃ）の３つのドライバＩＣによって、どの結像レンズに対応する発光素子が制御されるのかを、それぞれ、点線（Ｊａ）、一点鎖線（Ｊｂ）、二点鎖線（Ｊｃ）で囲って、各ドライバＩＣにより制御される区域を示している。ドライバＩＣのＤｒ１は、結像レンズ１、２、３、４、５、６、７、８、９に対応する発光素子を制御し、ドライバＩＣのＤｒ２は、結像レンズ１０、１１、１２、１３、１４、１５、１６、１７、１８に対応する発光素子を制御する。また、ドライバＩＣのＤｒ３は、結像レンズ１９、２０、２１、２２、２３、２４、２５、２６、２７に対応する発光素子を制御している。
【手続補正２９】
【補正対象書類名】明細書
【補正対象項目名】００６１
【補正方法】変更
【補正の内容】
【００６１】
図１１は、結像レンズとしてＭＬＡを用いた場合に、図１０の配線をする際の画像データの並べ替えの例を示す説明図である。図１１において、前記のように、結像レンズ１、２、３、４、５、６、７、８、９の順序で対応する発光素子にドライバＩＣのＤｒ１と配線される場合には、Ｋａの範囲に示すような画像データの配列とする。この場合には、発光素子から出力される画像データは、結像レンズが負倍率のため、Ｙ方向およびＸ方向で反転し、感光体ドラムには画像データ１〜９による１つの直線の潜像が形成される。ドライバＩＣのＤｒ２についての画像データの配列は、範囲Ｋｂで示され、ドライバＩＣのＤｒ３についての画像データの配列は、範囲Ｋｃで示される。
【手続補正３０】
【補正対象書類名】明細書
【補正対象項目名】００６３
【補正方法】変更
【補正の内容】
【００６３】
図１３、図１５〜図２２は、本発明の異なる実施形態を示す説明図、図１４はブロック図である。図１３は、発光素子が基板Ｗの長手方向（感光体ドラムの軸方向）と幅方向（感光体ドラムの回動方向）に複数配されている場合のドライバＩＣのＤｒ１〜Ｄｒ４との配置関係を示す説明図である。図１３において、ＶはＯＰＨ（有機ＥＬプリントヘッド、すなわち本発明のラインヘッド）パネルで基板Ｗ上に実装され、その長手方向には、複数の発光素子からなる発光素子行Ｉａ〜Ｉｃが形成されている。各発光素子行Ｉａ〜Ｉｃは、感光体の回動方向に複数列の発光素子が配されている。
【手続補正３１】
【補正対象書類名】明細書
【補正対象項目名】００６４
【補正方法】変更
【補正の内容】
【００６４】
ＯＰＨパネルＶの感光体ドラム回動方向からみた上流側および下流側の両側には、ＦＰＣ（フレキシブルプリント基板）Ｚａ〜Ｚｄが接続される。各ＦＰＣＺａ〜Ｚｄには、ドライバＩＣのＤｒｖＩＣ１〜ＤｒｖＩＣ４（Ｃａ〜Ｃｄ）が実装されている。図１３の例では、ＯＨＰパネルＶの感光体回動方向からみた上流側および下流側の両側には、２個づつのＦＰＣが対称の位置でＯＨＰパネルＶに接続されている。
【手続補正３２】
【補正対象書類名】明細書
【補正対象項目名】００６５
【補正方法】変更
【補正の内容】
【００６５】
図１４は、制御部７０のブロック図である。図８で説明したように、８０はラインヘッドの制御部７０と接続される本体コントローラである。７５は制御回路、７６は駆動回路、７７はメモリ、６１は有機ＥＬ素子を用いた発光素子で、感光体ドラムの軸方向（Ｘ方向、主走査方向）と感光体ドラムの回動方向（Ｙ方向、副走査方向）に複数配されている。Ｙ方向に複数行の発光素子を配置するのは、解像度の向上などを目的としている。制御部７０の制御回路７５、駆動回路７６、メモリ７７は、前記ＦＰＣに実装されている。
【手続補正３３】
【補正対象書類名】明細書
【補正対象項目名】００６６
【補正方法】変更
【補正の内容】
【００６６】
発光素子６１は、ＯＰＨパネルＶに実装されており、図１３で説明したように、ＯＰＨパネルＶの感光体ドラム回動方向からみた上流側および下流側の両側には、ＦＰＣに実装された駆動回路（ドライバＩＣ）７６ａ〜７６ｄが設けられている。本体コントローラ８０で形成された画像データは、制御部７０に送信され一旦メモリ７７に記憶される。制御回路７５はメモリ７７に記憶されている画像データを読み出し、駆動信号を形成し駆動回路７６ａ〜７６ｄを通して各発光素子６１に供給する。
【手続補正３４】
【補正対象書類名】明細書
【補正対象項目名】００６７
【補正方法】変更
【補正の内容】
【００６７】
図１５は、ＦＰＣと発光素子の接続例を示す説明図である。図１５においては、１つのマイクロレンズに対して複数の発光素子が配置されている。これらの発光素子には、ＤＭＵＸ（多重化多重分離装置）によってドライバＩＣの出力データが振り分けられる。Ｚａ〜Ｚｄは、図１３で説明したＦＰＣで、各ＦＰＣにはドライバＩＣが実装されている。
【手続補正３５】
【補正対象書類名】明細書
【補正対象項目名】００６９
【補正方法】変更
【補正の内容】
【００６９】
図１６は、図１５で説明した構成で、ＦＰＣの単一の接続端子と発光素子とを配線で電気的に接続する例を示す説明図である。図１６の例では、Ｚａの接続端子ＤＮＩ１と６個の発光素子１〜６、接続端子ＤＮＩ２と６個の発光素子７〜１２との接続例を示している。各発光素子１〜１２にはそれぞれ接続端子１ａ〜１２ａが設けられている。Ｚａの接続端子ＤＮＩ１と発光素子１〜６の接続端子１ａ〜６ａは、それぞれ配線Ｕ１〜Ｕ６で接続される。また、Ｚａの接続端子ＤＮＩ２と発光素子７〜１２の接続端子７ａ〜１２ａは、それぞれ配線Ｕ７〜Ｕ１２で接続される。このように、図１５、図１６の例では、１つのＭＬＡに対し６０個の発光素子が実装されており、ＦＰＣ接続端子のＤＩＮ(ＤＡＴＡ ＩＮ)と発光素子間で、１：６でデータが振り分けられている。
【手続補正３６】
【補正対象書類名】明細書
【補正対象項目名】００７０
【補正方法】変更
【補正の内容】
【００７０】
ＦＰＣに駆動回路を実装する例について、図１７〜図２２により説明する。図１７、図１９、図２１においては、ＦＰＣの図示を省略している。図１０の例では、発光素子行がＩａ〜Ｉｃの３行で、ドライバＩＣもＤｒ１〜Ｄｒ３の３個であり、各ドライバＩＣはすべての発光素子行Ｉａ〜Ｉｃのそれぞれに含まれる発光素子と配線で結線されている。このため、ドライバＩＣと各発光素子行に含まれる発光素子とを接続する配線長が長くなると考えられる。図１７、図１９、図２１の例は、図１０のような発光素子行に含まれる発光素子とドライバＩＣとの配線の構成を改良するものである。図１７は、本発明の実施形態を示す説明図である。図１７の例では結像レンズ行がＲ、Ｓ、Ｔの３行で、発光素子の制御を結像レンズ単位で行う例を示している。また、発光素子行Ｉａ〜Ｉｃが、感光体ドラムの回動方向に３行配されている。発光素子を制御するドライバＩＣは、感光体ドラムの回動方向の上流側にＤｒ２が１つ設けられ、感光体の回動方向の下流側にＤｒ１、Ｄｒ３が２つ設けられている。Ｄｒ１、Ｄｒ２、Ｄｒ３の３つのドライバＩＣによって、どの結像レンズに対応する発光素子が制御されるのかを、それぞれ、点線（Ｄｒ１）、一点鎖線（Ｄｒ２）、二点鎖線（Ｄｒ３）で囲んだ区域Ｍａ〜Ｍｃで示している。
【手続補正３７】
【補正対象書類名】明細書
【補正対象項目名】００７２
【補正方法】変更
【補正の内容】
【００７２】
ドライバＩＣのＤｒ１は、発光素子行Ｉａ〜Ｉｃの３行の中で、Ｉａ、Ｉｂの２行の発光素子行に含まれる発光素子を制御している。また、ドライバＩＣのＤｒ２は、発光素子行Ｉａ〜Ｉｃの３行の中で、Ｉｃ１行の発光素子行に含まれる発光素子を制御している。さらに、ドライバＩＣのＤｒ３は、発光素子行Ｉａ〜Ｉｃの３行の中で、Ｉａ、Ｉｂの２行の発光素子行に含まれる発光素子を制御している。このように、発光素子行の感光体の回動方向の列数をｎとしたときに、各ドライバＩＣは、ｎ−１行以下の発光素子行に含まれる発光素子と配線で接続されている。このため、ドライバＩＣがすべての発光素子行に含まれる発光素子と配線で接続される場合よりも、合理的な配線が可能となり、配線処理を簡素化できる。
【手続補正３８】
【補正対象書類名】明細書
【補正対象項目名】００７４
【補正方法】変更
【補正の内容】
【００７４】
図１９は、本発明の実施形態を示す説明図である。図１９の例では結像レンズ行がＲ、Ｓ、Ｔの３行で、発光素子の制御を発光素子行単位で行う例を示している。発光素子行Ｉａ〜Ｉｃが、感光体の回動方向に３行配されている。この例では、発光素子を制御するドライバＩＣは、感光体ドラムの回動方向の上流側にＤｒ２、Ｄｒ３の２つが設けられており、感光体ドラムの回動方向の下流側にＤｒ１、Ｄｒ４の２つが設けられている。
【手続補正３９】
【補正対象書類名】明細書
【補正対象項目名】００７５
【補正方法】変更
【補正の内容】
【００７５】
Ｄｒ１、Ｄｒ２、Ｄｒ３、Ｄｒ４の４つのドライバＩＣによって、どの発光素子行の発光素子が制御されるのかを、それぞれ、点線（Ｄｒ１）、破線（Ｄｒ２）、一点鎖線（Ｄｒ３）、二点鎖線（Ｄｒ４）で囲んだ区域Ｐａ〜Ｐｄで示している。図１９の例では、ドライバＩＣのＤｒ１〜Ｄｒ４は、すべて感光体ドラムの回動方向に３行配されている発光素子行Ｉａ〜Ｉｃの中で、２行の発光素子行に含まれる発光素子と接続されている。このため、配線処理が簡素化される。
【手続補正４０】
【補正対象書類名】明細書
【補正対象項目名】００７６
【補正方法】変更
【補正の内容】
【００７６】
図２０は、図１９の例に対応する画像データの並び替えを示す説明図である。図１９で説明したように、発光素子行Ｉａ〜Ｉｃはそれぞれ感光体ドラムの回動方向に４行の発光素子行が形成されている。図２０において、ドライバＩＣのＤｒ１は、結像レンズ３、６、９、１２に対応する発光素子行Ｉａと、結像レンズ２、５、８、１１、１４に対応する発光素子行Ｉｂの上段の発光素子行の発光素子を制御している。
【手続補正４１】
【補正対象書類名】明細書
【補正対象項目名】００７９
【補正方法】変更
【補正の内容】
【００７９】
図２１は、本発明の実施形態を示す説明図である。図２１の例では結像レンズ行がＲ、Ｓ、Ｔ、θの４行で、発光素子の制御を結像レンズ単位で行う例を示している。また、発光素子行Ｉａ〜Ｉｄが、感光体の回動方向に４行配されている。発光素子を制御するドライバＩＣは、感光体ドラムの回動方向の上流側にＤｒ２、Ｄｒ３の２つが設けられており、感光体ドラムの回動方向の下流側にＤｒ１、Ｄｒ４の２つが設けられている。
【手続補正４２】
【補正対象書類名】明細書
【補正対象項目名】００８３
【補正方法】変更
【補正の内容】
【００８３】
本発明の実施形態においては、図１に示されているように、駆動回路を、感光体ドラムの回動方向からみて基板の片側に設けている。このため、駆動回路を設けない側のスペースを節約することができる。なお、図示を省略しているが、駆動回路を、感光体ドラムの回動方向からみて基板の両側に設ける形態とすることもできる。この場合には、駆動回路に近い発光素子と結線できるので、配線長さを短くすることができる。
【手続補正４３】
【補正対象書類名】明細書
【補正対象項目名】００８４
【補正方法】変更
【補正の内容】
【００８４】
駆動回路をＦＰＣに実装する場合には、図１３に示されているように、感光体ドラムの回動方向からみて基板の両側にＦＰＣを設けている。この場合には、ラインヘッドの制御部を基板に対してバランス良く配置することができる。また、前記基板の両側に設けるＦＰＣの数は、図１７のように、一方を１つ、他方を２つというように異ならせることができる。この場合には、基板の感光体ドラムの回動方向に複数行の発光素子行を配した際に、それぞれの発光素子行に対する制御部を合理的に配置できる。図１７の例では、感光体ドラムの回動方向で上流側の発光素子行Ｉｃに対して、基板の片側に設けたＦＰＣに実装されたドライバＩＣのＤｒ２が制御することになり、ラインヘッドの構成の自由度を向上させることができる。
【手続補正４４】
【補正対象書類名】明細書
【補正対象項目名】００８５
【補正方法】変更
【補正の内容】
【００８５】
なお、前記基板の両側に設けるＦＰＣの数は、図１９、図２１のように、両側とも２つというように同じ数とすることができる。図１９のでは、発光素子行が３行で、ＦＰＣは４つになり、ＦＰＣの数は発光素子行の数よりも多くなるので、発光素子に対する制御の負担を軽減することができる。また、図２２の例では、発光素子行が４行でＦＰＣも４つであり、発光素子行の数とＦＰＣの数は同数である。この場合には、基板の感光体ドラムの軸方向および感光体ドラムの回動方向に複数配されている発光素子を適宜区分して、区分したそれぞれの発光素子のグループの制御を最も近傍に配されているＦＰＣの制御部で合理的に行える。
【手続補正４５】
【補正対象書類名】明細書
【補正対象項目名】００８７
【補正方法】変更
【補正の内容】
【００８７】
【図１】本発明の実施形態を示す説明図である。
【図２】本発明の実施形態を示す説明図である。
【図３】本発明の実施形態を示す説明図である。
【図４】本発明の参考例を示す参考図である。
【図５】本発明の参考例を示す参考図である。
【図６】本発明の参考例を示す参考図である。
【図７】本発明の電子写真プロセスを用いた画像形成装置の１実施例の全体構成を示す模式的断面図である。
【図８】制御部を示すブロック図である。
【図９】本発明の実施形態を示す説明図である。
【図１０】本発明の前提技術を示す説明図である。
【図１１】本発明の前提技術を示す説明図である。
【図１２】本発明の前提技術を示す説明図である。
【図１３】本発明の実施形態を示す説明図である。
【図１４】制御部を示すブロック図である。
【図１５】本発明の実施形態を示す説明図である。
【図１６】本発明の実施形態を示す説明図である。
【図１７】本発明の実施形態を示す説明図である。
【図１８】本発明の実施形態を示す説明図である。
【図１９】本発明の実施形態を示す説明図である。
【図２０】本発明の実施形態を示す説明図である。
【図２１】本発明の実施形態を示す説明図である。
【図２２】本発明の実施形態を示す説明図である。